【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
ユーザの操作を受け付ける操作部と、
自端末が参加しているアドホックネットワークと同一のアドホックネットワークに参加している他の無線通信端末のデータリンクレベルの認証を行う認証部と、
前記認証がなされた他の無線通信端末とデータ通信を行う通信部と、
前記認証がなされていない他の無線通信端末から、他の無線通信端末の存在を知らせる存在通知情報、アドホックネットワークへの参加要求、または、アドホックネットワークへの参加要求に対する応答、が受信されたとき、前記存在通知情報、前記参加要求、または、前記応答、を送信した、前記認証がなされていない他の無線通信端末に対して、前記認証部による認証を行うか否かを判断する認証制御部と、
を有し、
前記認証制御部は、
前記操作部の操作により認証処理を開始するトリガが発生したあとに、前記認証部によって未だ認証されていない他の無線通信端末から受信された、前記参加要求、前記応答、もしくは、自端末が参加している同一のアドホックネットワークを示すIDを含む前記存在通知情報、に、認証処理中であることを示す認証中情報が含まれていなかったとき、前記認証中情報を含めずに前記参加要求、前記応答、もしくは、自端末が参加している同一のアドホックネットワークを示すIDを含む前記存在通知情報を送信した、前記認証部によって未だ認証されていない他の無線通信端末に対して、前記認証部による前記認証を行わないと判断する、または、
前記操作部の操作により、自端末が参加している同一のアドホックネットワークに参加する他の無線通信端末であって前記認証部によって未だ認証されていない他の無線通信端末のなかから認証を行う他の無線通信端末が選択されたとき、前記操作部で選択されなかった他の無線通信端末に対して、前記認証部による前記認証を行わないと判断し、
前記認証を行うと判断したとき、または、他の無線通信端末から認証が行われたとき、前記認証制御部は、前記存在通知情報、前記参加要求、または、前記応答、に前記認証中情報を含めずに送信するように制御を行う無線通信端末。
【請求項２】
前記認証部は、自端末が何れのアドホックネットワークにも参加していない場合、自端末がアドホックネットワークを生成した後に、または、他の無線通信端末が生成したアドホックネットワークに自端末が参加した後に、のみ、前記判断を行い、
認識された無線通信可能な端末のうち前記認証がなされていない端末を識別する第１の識別情報を記憶する記憶部をさらに有し、
前記認証制御部はさらに、周辺に存在する無線通信可能な端末から、当該端末の第２の識別情報を含む認証要求が受信された場合、前記第１の識別情報および当該第２の識別情報に基づいて、当該端末の前記認証がなされているか否かを判定し、当該端末の前記認証がなされていないと判定された場合、当該端末の選択を行う請求項１に記載の無線通信端末。
【請求項３】
前記認証制御部は、前記操作部の操作により前記トリガが発生した場合、前記存在通知情報、前記参加要求、または、前記応答に、前記認証中情報を含めて送信するように制御を行う請求項１に記載の無線通信端末。
【請求項４】
前記操作部の操作により前記トリガが、未だ発生していないときに、他の無線通信端末から、自端末が参加している同一のアドホックネットワークを示すIDを含む前記存在通知情報および前記認証中情報を受信した場合、当該他の無線通信端末に関する端末情報を記憶する記憶部をさらに有し、
前記操作部の操作により前記トリガが発生したあとに他の無線通信端末により自端末の認証処理が開始され、かつ、自端末の認証処理を開始した他の無線通信端末に対応する前記端末情報が前記記憶部に記憶されている場合にのみ、前記認証制御部は、自端末の認証処理を開始した他の無線通信端末の認証を行うと判断する請求項１に記載の無線通信端末。
【請求項５】
同一のアドホックネットワークに参加する他の無線通信端末であって前記認証部によって未だ認証されていない他の無線通信端末を表示する表示部をさらに有する請求項１に記載の無線通信端末。
【請求項６】
前記表示部は、同一のアドホックネットワークに参加する他の無線通信端末から認証依頼が行われた場合、前記認証依頼を行った他の無線通信端末と、前記認証依頼を行っていない他の無線通信端末と、を識別するように表示する請求項５に記載の無線通信端末。
【請求項７】
前記認証制御部は、前記操作部で選択された他の無線通信端末に対して、自端末を認証するよう促す認証依頼を送信するように制御を行う請求項５に記載の無線通信端末。
【請求項８】
操作部がユーザの操作を受け付けるステップと、
認証部が、自端末が参加しているアドホックネットワークと同一のアドホックネットワークに参加している他の無線通信端末のデータリンクレベルの認証を行うステップと、
通信部が、前記認証がなされた他の無線通信端末とデータ通信を行うステップと、
認証制御部が、前記認証がなされていない他の無線通信端末から、他の無線通信端末の存在を知らせる存在通知情報、アドホックネットワークへの参加要求、または、アドホックネットワークへの参加要求に対する応答、が受信されたとき、前記存在通知情報、前記参加要求、または、前記応答、を送信した、前記認証がなされていない他の無線通信端末に対して、前記認証部による認証を行うか否かを判断するステップと、
を有し、
前記認証制御部は、
前記操作部の操作により認証処理を開始するトリガが発生したあとに、前記認証部によって未だ認証されていない他の無線通信端末から受信された、前記参加要求、前記応答、もしくは、自端末が参加している同一のアドホックネットワークを示すIDを含む前記存在通知情報、に、認証処理中であることを示す認証中情報が含まれていなかったとき、前記認証中情報を含めずに前記参加要求、前記応答、もしくは、自端末が参加している同一のアドホックネットワークを示すIDを含む前記存在通知情報を送信した、前記認証部によって未だ認証されていない他の無線通信端末に対して、前記認証部による前記認証を行わないと判断する、または、
前記操作部の操作により、自端末が参加している同一のアドホックネットワークに参加する他の無線通信端末であって前記認証部によって未だ認証されていない他の無線通信端末のなかから認証を行う他の無線通信端末が選択されたとき、前記操作部で選択されなかった他の無線通信端末に対して、前記認証部による前記認証を行わないと判断し、
前記認証を行うと判断したとき、または、他の無線通信端末から認証が行われたとき、前記認証制御部は、前記存在通知情報、前記参加要求、または、前記応答、に前記認証中情報を含めずに送信するように制御を行う接続設定方法。
【手続補正２】
【補正対象書類名】明細書
【補正対象項目名】発明の名称
【補正方法】変更
【補正の内容】
【発明の名称】無線通信端末および接続設定方法
【手続補正３】
【補正対象書類名】明細書
【補正対象項目名】０００１
【補正方法】変更
【補正の内容】
【０００１】
本発明は、周囲の無線通信可能な端末とデータリンクレベルの認証を行った後、当該無線通信可能な端末とデータ通信を行う無線通信端末および接続設定方法に関する。
【手続補正４】
【補正対象書類名】明細書
【補正対象項目名】００１２
【補正方法】変更
【補正の内容】
【００１２】
本発明は、上述した課題に鑑みてなされたものであって、自身が選択した一部の無線通信端末とのみデータ通信を行うことができる無線通信端末および接続設定方法を提供することを目的とする。
【手続補正５】
【補正対象書類名】明細書
【補正対象項目名】００１３
【補正方法】変更
【補正の内容】
【００１３】
本発明は、上記の課題を解決するためになされたもので、ユーザの操作を受け付ける操作部と、自端末が参加しているアドホックネットワークと同一のアドホックネットワークに参加している他の無線通信端末のデータリンクレベルの認証を行う認証部と、前記認証がなされた他の無線通信端末とデータ通信を行う通信部と、前記認証がなされていない他の無線通信端末から、他の無線通信端末の存在を知らせる存在通知情報、アドホックネットワークへの参加要求、または、アドホックネットワークへの参加要求に対する応答、が受信されたとき、前記存在通知情報、前記参加要求、または、前記応答、を送信した、前記認証がなされていない他の無線通信端末に対して、前記認証部による認証を行うか否かを判断する認証制御部と、を有し、前記認証制御部は、前記操作部の操作により認証処理を開始するトリガが発生したあとに、前記認証部によって未だ認証されていない他の無線通信端末から受信された、前記参加要求、前記応答、もしくは、自端末が参加している同一のアドホックネットワークを示すIDを含む前記存在通知情報、に、認証処理中であることを示す認証中情報が含まれていなかったとき、前記認証中情報を含めずに前記参加要求、前記応答、もしくは、自端末が参加している同一のアドホックネットワークを示すIDを含む前記存在通知情報を送信した、前記認証部によって未だ認証されていない他の無線通信端末に対して、前記認証部による前記認証を行わないと判断する、または、前記操作部の操作により、自端末が参加している同一のアドホックネットワークに参加する他の無線通信端末であって前記認証部によって未だ認証されていない他の無線通信端末のなかから認証を行う他の無線通信端末が選択されたとき、前記操作部で選択されなかった他の無線通信端末に対して、前記認証部による前記認証を行わないと判断し、前記認証を行うと判断したとき、または、他の無線通信端末から認証が行われたとき、前記認証制御部は、前記存在通知情報、前記参加要求、または、前記応答、に前記認証中情報を含めずに送信するように制御を行う無線通信端末である。
【手続補正６】
【補正対象書類名】明細書
【補正対象項目名】００１４
【補正方法】変更
【補正の内容】
【００１４】
また、本発明の無線通信端末は、前記認証部は、自端末が何れのアドホックネットワークにも参加していない場合、自端末がアドホックネットワークを生成した後に、または、他の無線通信端末が生成したアドホックネットワークに自端末が参加した後に、のみ、前記判断を行い、認識された無線通信可能な端末のうち前記認証がなされていない端末を識別する第１の識別情報を記憶する記憶部をさらに有し、前記認証制御部はさらに、周辺に存在する無線通信可能な端末から、当該端末の第２の識別情報を含む認証要求が受信された場合、前記第１の識別情報および当該第２の識別情報に基づいて、当該端末の前記認証がなされているか否かを判定し、当該端末の前記認証がなされていないと判定された場合、当該端末の選択を行う。
【手続補正７】
【補正対象書類名】明細書
【補正対象項目名】００１５
【補正方法】変更
【補正の内容】
【００１５】
また、本発明の無線通信端末において、前記認証制御部は、前記操作部の操作により前記トリガが発生した場合、前記存在通知情報、前記参加要求、または、前記応答に、前記認証中情報を含めて送信するように制御を行う。
【手続補正８】
【補正対象書類名】明細書
【補正対象項目名】００１６
【補正方法】変更
【補正の内容】
【００１６】
また、本発明の無線通信端末は、前記操作部の操作により前記トリガが、未だ発生していないときに、他の無線通信端末から、自端末が参加している同一のアドホックネットワークを示すIDを含む前記存在通知情報および前記認証中情報を受信した場合、当該他の無線通信端末に関する端末情報を記憶する記憶部をさらに有し、前記操作部の操作により前記トリガが発生したあとに他の無線通信端末により自端末の認証処理が開始され、かつ、自端末の認証処理を開始した他の無線通信端末に対応する前記端末情報が前記記憶部に記憶されている場合にのみ、前記認証制御部は、自端末の認証処理を開始した他の無線通信端末の認証を行うと判断する。
【手続補正９】
【補正対象書類名】明細書
【補正対象項目名】００１７
【補正方法】変更
【補正の内容】
【００１７】
また、本発明の無線通信端末は、同一のアドホックネットワークに参加する他の無線通信端末であって前記認証部によって未だ認証されていない他の無線通信端末を表示する表示部をさらに有する。
【手続補正１０】
【補正対象書類名】明細書
【補正対象項目名】００１８
【補正方法】変更
【補正の内容】
【００１８】
また、本発明の無線通信端末において、前記表示部は、同一のアドホックネットワークに参加する他の無線通信端末から認証依頼が行われた場合、前記認証依頼を行った他の無線通信端末と、前記認証依頼を行っていない他の無線通信端末と、を識別するように表示する。
また、本発明の無線通信端末において、前記認証制御部は、前記操作部で選択された他の無線通信端末に対して、自端末を認証するよう促す認証依頼を送信するように制御を行う。
また、本発明は、操作部がユーザの操作を受け付けるステップと、認証部が、自端末が参加しているアドホックネットワークと同一のアドホックネットワークに参加している他の無線通信端末のデータリンクレベルの認証を行うステップと、通信部が、前記認証がなされた他の無線通信端末とデータ通信を行うステップと、認証制御部が、前記認証がなされていない他の無線通信端末から、他の無線通信端末の存在を知らせる存在通知情報、アドホックネットワークへの参加要求、または、アドホックネットワークへの参加要求に対する応答、が受信されたとき、前記存在通知情報、前記参加要求、または、前記応答、を送信した、前記認証がなされていない他の無線通信端末に対して、前記認証部による認証を行うか否かを判断するステップと、を有し、前記認証制御部は、前記操作部の操作により認証処理を開始するトリガが発生したあとに、前記認証部によって未だ認証されていない他の無線通信端末から受信された、前記参加要求、前記応答、もしくは、自端末が参加している同一のアドホックネットワークを示すIDを含む前記存在通知情報、に、認証処理中であることを示す認証中情報が含まれていなかったとき、前記認証中情報を含めずに前記参加要求、前記応答、もしくは、自端末が参加している同一のアドホックネットワークを示すIDを含む前記存在通知情報を送信した、前記認証部によって未だ認証されていない他の無線通信端末に対して、前記認証部による前記認証を行わないと判断する、または、前記操作部の操作により、自端末が参加している同一のアドホックネットワークに参加する他の無線通信端末であって前記認証部によって未だ認証されていない他の無線通信端末のなかから認証を行う他の無線通信端末が選択されたとき、前記操作部で選択されなかった他の無線通信端末に対して、前記認証部による前記認証を行わないと判断し、前記認証を行うと判断したとき、または、他の無線通信端末から認証が行われたとき、前記認証制御部は、前記存在通知情報、前記参加要求、または、前記応答、に前記認証中情報を含めずに送信するように制御を行う接続設定方法である。
【手続補正１１】
【補正対象書類名】明細書
【補正対象項目名】００１９
【補正方法】変更
【補正の内容】
【００１９】
本発明によれば、自身が選択した一部の無線通信端末とのみデータ通信を行うことができる。